(57)【要約】【課題】ペット動物の散歩時に飼い主が両手を自由に使えるだけでなく、ペット動物に散歩用の綱を繋いだままでも散歩用綱の長さを容易に変えることができるペット動物散歩用具を提供すること。【解決手段】ペット動物散歩用具１０は、飼い主の腰に装着される係止ベルト１１と、係止ベルト１１とペット動物とをつなぐ散歩用綱１２と、を備え、係止ベルト１１が、ベルト本体１３と、散歩用綱１２が接続される環状のベルト側Ｄカン１５と、を備え、散歩用綱１２が、綱本体１７と、綱本体１７の一端側に配されてペット動物との接続に使用される固定ナスカン２０と、綱本体１７の他端に接続され、綱本体１７が挿通されて綱本体１７に輪状部２３を形成するコキ２１と、輪状部２３の周方向に対して移動可能に配される移動ナスカン１８と、コキ２１と固定ナスカン２０との間の綱本体１７に配される綱側Ｄカン２２と、を備える。【選択図】図５
0003198029.tif 000002
【実用新案登録請求の範囲】
【請求項１】
飼い主の腰に装着される係止ベルトと、
該係止ベルトとペット動物とをつなぐ散歩用綱と、
を備え、
前記係止ベルトが、ベルト本体と、
前記散歩用綱が接続される環状の第一連結部と、
を備え、
前記散歩用綱が、綱本体と、
前記綱本体の一端側に配されてペット動物との接続に使用される第二連結部と、
前記綱本体の他端に接続され、前記綱本体が挿通されて前記綱本体に輪状部を形成する調整部材と、
前記輪状部の周方向に移動可能に配される第三連結部と、
前記調整部材と前記第二連結部との間の前記綱本体に配される環状の第四連結部と、
を備えるペット動物散歩用具。
【請求項２】
前記第一連結部の内径が、前記綱本体が挿通可能な大きさである請求項１に記載のペット動物散歩用具。
【請求項３】
前記第一連結部が前記ベルト本体に複数配されている請求項１又は２に記載のペット動物散歩用綱及び係止ベルト。
【考案の詳細な説明】
【技術分野】
【０００１】
本考案は、ペット動物散歩用具に関する。
【背景技術】
【０００２】
犬などのペット動物の散歩時に飼い主が両手を自由に使えるようにするため、ペット散歩用綱を手に持たなくてもよいペット動物散歩用綱係止ベルトが種々提案されている（例えば、特許文献１参照。）。
【先行技術文献】
【特許文献】
【０００３】
【特許文献１】特開平０９−２７１２８７号公報
【考案の概要】
【考案が解決しようとする課題】
【０００４】
しかしながら、例えば、上記特許文献１に記載のものは、飼い主の腰に装着するベルト上をホルダーが移動自在に配されているため、ペット動物が飼い主の回りを動き回るとこれにともないホルダーがベルト上を移動してしまい、飼い主がペット散歩用綱に引っ張られて怪我をしてしまうおそれがある。
【０００５】
また、ペット散歩用綱には、長さ調整用の部品であるコキが配される場合がある。しかし、ペット動物の散歩中にペット動物を繋いだままで綱の長さを変えようと思っても、ペット動物が動き回る状態ではコキを移動させるのが大変になる。特に、散歩用綱の全体長さを半分程度に短くしたり２倍程度に長くしたりと大きく変化させたい場合、コキを移動させるのにも時間がかかり、ペット動物にストレスを与える場合がある。
【０００６】
本考案は上記事情に鑑みて成されたものであり、ペット動物の散歩時に飼い主が両手を自由に使えるだけでなく、ペット動物に散歩用の綱を繋いだままでも散歩用綱の長さを容易に変えることができるペット動物散歩用具を提供することを目的とする。
【課題を解決するための手段】
【０００７】
本考案は、上記課題を解決するため、以下の手段を採用する。
本考案に係るペット動物散歩用具は、飼い主の腰に装着される係止ベルトと、該係止ベルトとペット動物とをつなぐ散歩用綱と、を備え、前記係止ベルトが、ベルト本体と、前記散歩用綱が接続される環状の第一連結部と、を備え、前記散歩用綱が、綱本体と、前記綱本体の一端側に配されてペット動物との接続に使用される第二連結部と、前記綱本体の他端に接続され、前記綱本体が挿通されて前記綱本体に輪状部を形成する調整部材と、前記輪状部の周方向に移動可能に配される第三連結部と、前記調整部材と前記第二連結部との間の前記綱本体に配される環状の第四連結部と、を備える。
【０００８】
また、本考案に係るペット動物散歩用具は、前記第一連結部の内径が、前記綱本体が挿通可能な大きさである。
【０００９】
また、本考案に係るペット動物散歩用具は、前記第一連結部が前記ベルト本体に複数配されている。
【考案の効果】
【００１０】
このペット動物散歩用具によれば、ペット動物の散歩時に飼い主が両手を自由に使えるだけでなく、ペット動物に散歩用の綱を繋いだままでも散歩用綱の長さを容易に変えることができる。
【図面の簡単な説明】
【００１１】
【図１】本考案の一実施形態に係るペット動物散歩用具の使用状態を示す図である。
【図２】本考案の一実施形態に係るペット動物散歩用具の係止ベルトを示す図である。
【図３】本考案の一実施形態に係るペット動物散歩用具の散歩用綱を示す図である。
【図４】本考案の一実施形態に係るペット動物散歩用具の係止ベルトと散歩用綱とを接続した状態を示す図である。
【図５】図４とは異なる状態で係止ベルトと散歩用綱とを接続した状態を示す図である。
【図６】図５とは異なる状態で係止ベルトと散歩用綱とを接続した状態を示す図である。
【図７】図６とは異なる状態で係止ベルトと散歩用綱とを接続した状態を示す図である。
【考案を実施するための形態】
【００１２】
本考案に係る一実施形態について、図１から図７を参照して説明する。
本実施形態に係るペット動物散歩用具１０は、飼い主Ｐの腰Ｗに装着される係止ベルト１１と、係止ベルト１１と犬（ペット動物）Ｄとをつなぐ散歩用綱１２と、を備えている。
【００１３】
係止ベルト１１は、図１及び図２に示すように、ベルト本体１３と、散歩用綱１２が接続されるベルト側Ｄカン（第一連結部）１５と、を備えている。ベルト本体１３は、飼い主Ｐの腰回りに合わせて長さ調整可能とされるとともに、着脱部材１６が配されて飼い主Ｐが腰Ｗへの脱着時に着脱自在となっている。
【００１４】
ベルト側Ｄカン１５は、ベルト本体１３の周方向（長さ方向）に対して固定された状態で、ベルト本体１３の幅方向を回転中心軸線ののびる方向として回転自在に配されている。ベルト側Ｄカン１５は、係止ベルト１１の前方側の２ヶ所に着脱部材１６を挟んで左右に分かれた状態でそれぞれ配されている。ベルト側Ｄカン１５の内径は、綱本体１７が挿通可能な大きさに形成されている。
【００１５】
散歩用綱１２は、図１及び図３に示すように、綱本体１７と、移動ナスカン（第三連結部）１８と、固定ナスカン（第二連結部）２０と、綱本体１７に配されたコキ（調整部材）２１及び綱側Ｄカン（第四連結部）２２と、を備えている。
【００１６】
固定ナスカン２０は、綱本体１７の他端に接続されて犬Ｄの首輪Ｎと接続される。コキ２１は、綱本体１７の一端側に接続され、綱本体１７が挿通されて綱本体１７に輪状部２３を形成する。移動ナスカン１８は、輪状部２３の周方向に移動可能に接続される。綱側Ｄカン２２は、綱本体１７の長さ方向に対して固定された状態で、綱本体１７の幅方向を回転中心軸線ののびる方向として回転自在に配されている。
【００１７】
次に、本実施形態に係るペット動物散歩用具１０の作用について説明する。まず、図４に示すように、綱本体１７の移動ナスカン１８と係止ベルト１１のベルト側Ｄカン１５とを接続する。この状態で綱本体１７の固定ナスカン２０と犬Ｄの首輪Ｎとを接続することによって、図２に示すように犬Ｄを散歩させることができる。
【００１８】
ここで、もう少し飼い主Ｐと犬Ｄとの距離を縮めたい場合には、いったん移動ナスカン１８をベルト側Ｄカン１５から取り外す。そして、図５に示すように、散歩用綱１２の移動ナスカン１８と輪状部２３の一部とを係止ベルト１１のベルト側Ｄカン１５内に挿通して、移動ナスカン１８と綱側Ｄカン２２とを接続する。こうして、犬Ｄとの距離を前述の場合よりも縮めて散歩させることができる。
【００１９】
また、一度に２頭の犬Ｄを散歩させたい場合には、図６に示すように、移動ナスカン１８と綱側Ｄカン２２とを外して、固定ナスカン２０と移動ナスカン１８のそれぞれに犬Ｄの首輪Ｎを接続する。こうして、２頭の犬Ｄを同時に散歩させることができる。
【００２０】
または、飼い主Ｐと犬Ｄとの距離を確保して２頭の犬Ｄを散歩させたい場合には、図７に示すように、２本の散歩用綱１２を使用する。すなわち、散歩用綱１２の移動ナスカン１８と係止ベルト１１のベルト側Ｄカン１５とをそれぞれ接続するとともに、各固定ナスカン２０と各首輪Ｎとをそれぞれ接続する。
【００２１】
このペット動物散歩用具１０によれば、犬Ｄなどのペット動物の散歩時に飼い主Ｐが両手を自由に使えるだけでなく、散歩用綱１２の長さを大きく変えたいときに、犬Ｄに散歩用綱１２を繋いだままでも散歩用綱１２の長さを容易に変えることができる。
【００２２】
なお、本考案の技術範囲は上記実施の形態に限定されるものではなく、本考案の趣旨を逸脱しない範囲において種々の変更を加えることが可能である。
例えば、上記実施形態におけるＤカン等の連結部材は、金属部品に限らず、布製や樹脂製のものでも構わない。また、係止ベルト１１は着脱式とされているが、これに限らず分離できないものでも構わない。さらに長さを調整するための部材はコキ２１に限らず、同様の機能を有する部材であれば構わない。また、係止ベルト１１に配されるベルト側Ｄカン１５は１個や２個に限らず、３個以上であっても構わない。そして、ベルト側Ｄカン１５の内径は、綱本体１７が挿通可能な大きさであればよく、綱本体１７が変形可能な部材からなるものであれば、ベルト側Ｄカン１５の内径は綱本体１７の通常時の大きさより小さくても構わない。
【符号の説明】
【００２３】
１０  ペット動物散歩用具
１１  係止ベルト
１２  散歩用綱
１３  ベルト本体
１５  ベルト側Ｄカン（第一連結部）
１７  綱本体
１８  移動ナスカン（第三連結部）
２０  固定ナスカン（第二連結部）
２１  コキ（調整部材）
２２  綱側Ｄカン（第四連結部）
２３  輪状部
【図１】
0003198029.tif 000003
【図２】
0003198029.tif 000004
【図３】
0003198029.tif 000005
【図４】
0003198029.tif 000006
【図５】
0003198029.tif 000007
【図６】
0003198029.tif 000008
【図７】
0003198029.tif 000009